(57)【要約】【課題】電気コネクタ又はメモリカードの端子にしっかりと接触させるのに十分な弾力を提供するための優れた弾性を有する端子を提供すること。【解決手段】端子は、半田付け部、本体部、弾性アーム部、第１の支点、及び枢動突起を有する。本体部は、半田付け部上に形成される。弾性アーム部は、本体部上に形成され、枢動可能であり、基端、先端接触部、及び先端セクションを有する。第１の支点は、本体部と弾性アーム部との間に画定され、弾性アーム部を第１の支点を中心に枢動可能にする。枢動突起は、第２の支点として働き、基端と先端接触部との間の弾性アーム部上に形成され、先端セクションに隣接し、先端セクションを選択的に枢動する。【選択図】図１
0003136419.tif 000002
【実用新案登録請求の範囲】
【請求項１】
電気コネクタ用端子であって、
半田付け部と、
半田付け部上に形成された本体部と、
可撓性であり、半田付け部の反対側であり、本体部上に形成されて本体部から長手方向に突出し、本体部に対して傾斜し、枢動可能な、弾性アーム部と、
本体部と弾性アーム部との間に画定され、弾性アーム部を第１の支点を中心に枢動可能にする、当該第１の支点と、
第２の支点として働き、基端と先端接触部との間の弾性アーム部上に形成されて弾性アーム部から突出し、先端セクションに隣接し、先端セクションを選択的に枢動する、枢動突起と、を備え、
前記弾性アーム部は、本体部と接続された前記基端と、
基端とは反対側の前記先端接触部と、
基端から間隔を置いて先端接触部の自由端と隣接して形成された前記先端セクションと、を有し、
前記先端接触部は、前記弾性アーム部と接続された接続端と、
接続端と反対側の自由端と、を有する、
電気コネクタ用端子。
【請求項２】
枢動突起は、ある距離だけ第１の支点から離間し、
第１の支点から先端接触部の接続端までの測定された距離に対する第１の支点から第２の支点までの測定された距離の比は、０．５〜０．７の範囲内である、請求項１に記載の端子。
【請求項３】
絶縁ハウジング、及び
取り付け溝にそれぞれ対応して取り付け溝にそれぞれ取り付けられる、複数の端子、を備える電気コネクタであって、
前記絶縁ハウジングは、底部と、
互いに対向して底部上に形成され、底部から上方へ突出する２つの側壁と、
側壁同士間の絶縁ハウジングに画定された空間と、
空間の底部に画定され、各々が内底表面を有する、複数の取り付け溝と、を備え、
前記複数の端子の各々は、半田付け部と、
半田付け部上に形成され、対応する取り付け溝に取り付けられ、対応する取り付け溝における内底表面に対して平行である、本体部と、
可撓性であり、半田付け部の反対側であり、本体部上に形成されて本体部から長手方向に突出し、本体部及び内底表面に対して傾斜し、内底表面に向かって枢動可能な、弾性アーム部と、
本体部と弾性アーム部との間に画定され、弾性アーム部を第１の支点を中心に枢動可能にする、第１の支点と、
第２の支点として働き、基端と先端接触部との間の弾性アーム部上に形成されて弾性アーム部から突き出て、先端セクションに隣接し、内底表面に選択的に当接して先端セクションを枢動する、枢動突起と、を備え、
前記弾性アーム部は、本体部と接続された前記基端と、
基端と反対側の前記先端接触部と、
基端から間隔を置いて先端接触部の自由端と隣接して形成された前記先端セクションと、を有し、
前記先端接触部は、弾性アーム部と接続された接続端と、
接続端と反対側の自由端と、を有する、
電気コネクタ。
【請求項４】
枢動突起は、ある距離だけ第１の支点から離間し、
第１の支点から先端接触部の接続端までの測定された距離に対する第１の支点から第２の支点までの測定された距離の比は、０．５〜０．７の範囲内である、請求項３に記載の電気コネクタ。
【考案の詳細な説明】
【技術分野】
【０００１】
本考案は、端子に関し、より具体的には、電気コネクタに取り付けられ、且つ当該端子をはめ合わせ電気コネクタ又はメモリカードの端子にしっかりと接触させるのに十分な弾力を提供するための優れた弾性を有する端子に関する。
【背景技術】
【０００２】
エレクトロニクス技術は急速に発展しており、携帯電話やＭＰ３プレイヤー等のポータブル電子装置は、よりコンパクトでより軽量になる。
従って、ポータブル電子装置内部の電子コンポーネントは、より小さい。
しかしながら、弾性や強度等の電子コンポーネントの物理的特性は、電子コンポーネントがより小さい場合、より弱くなる可能性がある。
例えば、ポータブル電子装置に取り付けられたソケットコネクタにおける端子は、端子がより小さい場合、その弾性特性が実質的に減少することになる。
従って、端子は、プラグコネクタの端子と緩く接触して、コネクタ同士間の信号伝送を不安定にする。
【０００３】
この欠点を克服するため、本考案は、端子及び電気コネクタを提供して上述の問題を軽減又は取り除く。
【考案の開示】
【考案が解決しようとする課題】
【０００４】
本考案の主目的は、電気コネクタに取り付けられ、且つ当該端子をはめ合わせ電気コネクタ又はメモリカードの端子にしっかりと接触させるのに十分な弾力を提供するための優れた弾性を有する端子を提供することである。
【課題を解決するための手段】
【０００５】
本考案に係る端子は、半田付け部、本体部、弾性アーム部、第１の支点、及び枢動突起から成る。本体部は、半田付け部上に形成される。弾性アーム部は、本体部上に形成され、枢動可能であり、基端、先端接触部、及び先端セクションを有する。第１の支点は、本体部と弾性アーム部との間の境界に画定され、弾性アーム部を第１の支点を中心に枢動可能にする。第２の支点として働く枢動突起は、基端と先端接触部との間の弾性アーム部上に形成され、先端セクションに隣接して設置され、先端セクションを選択的に枢動する。枢動突起によって、端子は優れた弾力を示す。
【０００６】
本考案のその他の目的、利点、及び新規の特徴は、添付の図面と合わせて行われる場合の以下の詳細な説明からより明らかになる。
【考案を実施するための最良の形態】
【０００７】
図１及び図２ａを参照して説明する。
本考案に係る端子（２０）は、携帯電話やＭＰ３プレイヤー等の電子装置におけるプリント回路基板（ＰＣＢ）上に取り付けられて電気的に接続された電気コネクタ（１００）において使用されるもので、プラグコネクタ又はメモリカードを受入れて保持することができる。
【０００８】
電気コネクタ（１００）は、絶縁ハウジング（１０）及び複数の端子（２０）を備える。
【０００９】
絶縁ハウジング（１０）は、底部（１０１）、２つの側壁（１０３）、空間、及び複数の取り付け溝（１０５）を有する。
【００１０】
側壁（１０３）は、互いに対向して底部（１０１）上に形成され、底部（１０１）から上方に突き出る。
【００１１】
空間は、側壁（１０３）同士間の絶縁ハウジング（１０）内に画定され、複数の端子を有するプラグコネクタ又はメモリカードを収容することができる。
【００１２】
取り付け溝（１０５）は、空間内の底部（１０１）に画定され、各取り付け溝（１０５）は、内底表面（１０７）を有する。
【００１３】
図２ｂ及び図２ｃを参照すると、端子（２０）は、それぞれ取り付け溝（１０５）に対応して取り付け溝（１０５）に取り付けられる。各端子（２０）は、半田付け部（２０３）、本体部（２０１）、弾性アーム部（２０５）、第１の支点（２０９）、及び枢動突起（２０７）を有する。
【００１４】
半田付け部（２０３）は、ＰＣＢ上に取り付けられてＰＣＢに接続される。
【００１５】
本体部（２０１）は、半田付け部（２０３）上に形成され、対応する取り付け溝（１０５）に取り付けられ、対応する取り付け溝（１０５）の内底表面（１０７）に対して平行である。
【００１６】
弾性アーム部（２０５）は、可撓性であり、半田付け部（２０３）とは反対側であり、本体部（２０１）上に形成されて、本体部（２０１）から長手方向に突出しており、本体部（２０１）及び対応する取り付け溝（１０５）における内底表面（１０７）に対して傾斜しており、内底表面に向かって枢動可能であり、プラグコネクタ又はメモリカードの一つの端子と接触できる。
弾性アーム部（２０５）は、基端、先端接触部（２０５１）、及び先端セクションを有し、その長さをｄ1として示す。
基端は、本体部（２０１）と接続される。
先端接触部（２０５１）は、基端の反対側であり、接続端（２０５１ａ）及び自由端（２０５１ｂ）を有する。
接続端（２０５１ａ）は、弾性アーム部（２０５）と接続される。自由端（２０５１ｂ）は、接続端（２０５１ａ）の反対側である。先端セクションは、基端から間隔を置いて先端接触部（２０５１）の自由端（２０５１ｂ）に隣接して形成される。
【００１７】
図２ｄを更に参照すると、第１の支点（２０９）は、本体部（２０１）と弾性アーム部（２０５）との間に画定され、ある距離（ｄ1）だけ先端接触部（２０５１）の接続端（２０５１ａ）から離間しており、弾性アーム部（２０５）が第１の支点（２０９）を中心に下方へ枢動できるようにする。
下方へ枢動する弾性アーム部（２０５）は、弾力を提供して、弾性アーム部（２０５）を、プラグコネクタ又はメモリカードの端子にしっかりと接続させる。
【００１８】
更に図２ｅを参照すると、第２の支点として働く枢動突起（２０７）は、基端と先端接触部（２０５１）との間の弾性アーム部（２０５）上に形成され、弾性アーム部（２０５）から突き出ており、弾性アーム部（２０５）の先端セクションに隣接し、内底表面（１０７）に選択的に当接し、従って先端セクションを下方へ枢動する。
下方へ枢動する先端セクションは、更なる弾力を提供して、先端セクションを、プラグコネクタ又はメモリカードの端子にさらにしっかりと接触させる。
第２の支点として働く枢動突起（２０７）は、距離（ｄ2）だけ第１の支点（２０９）から離間している。第１の支点（２０９）から先端接触部（２０５１）の接続端（２０５１ａ）まで測定された距離（ｄ１）に対する第１の支点（２０９）から第２の支点まで測定された距離（ｄ２）の比は、０．５〜０．７の範囲内である。
更に図３ａを参照すると、端子（２０）の第１の変形例は、０．５の比率を有する。
更に図３ｂを参照すると、端子（２０）の第２の変形例は、０．６の比率を有する。
更に図３ｃを参照すると、端子（２０）の第３の変形例は、０．７の比率を有する。
【００１９】
更に表１を参照すると、端子（２０）の第１、第２、及び第３の変形例及び従来の端子が互いに比較されている。本考案の端子（２０）と比較すると、従来の端子は、半田付け部、本体部、弾性アーム部、及び第１の支点を有するが、枢動突起２０７を有さない。
表１は、上述の比率、各押し下げられた端子の全体の弾力、及び端子が解放された時の各端子の回復不能変形を示す。表１は、５ｍｍの変位（ｄ）を受けた弾性アーム部（２０５）の押し下げられた先端接触部（２０５１）に基づく。
【００２０】
【表１】
0003136419.tif 000003
【００２１】
０．５〜０．７の範囲の比率によって、本考案の端子（２０）は、その回復不能変形を許容範囲である０．０５５ｍｍ未満に制限し、従来の端子の弾力よりも大きな優れた弾力を示す。
このようにして、枢動突起（２０７）を有する端子（２０）は、従来の端子よりもしっかりとプラグコネクタ又はメモリカードの端子と接触し、安定した信号伝送を提供する。
【図面の簡単な説明】
【００２２】
【図１】本考案に従う電気コネクタの斜視図である。
【図２ａ】図１における電気コネクタの端子の拡大斜視図である。
【図２ｂ】図２ａにおける端子の上面図である。
【図２ｃ】図２ｂにおける端子を有する電気コネクタの部分断面における側面図である。
【図２ｄ】弾性アーム部が第１の支点を中心に枢動している状態の、図２ｃにおける端子の部分断面における動作側面図である。
【図２ｅ】弾性アーム部の先端が更に第２の支点を中心に枢動している状態の、図２ｃにおける端子の部分断面における動作側面図である。
【図３ａ】第１の支点から先端接触部の接続端まで測定された距離に対する第１の支点から第２の支点まで測定された距離の比が０．５である、図２ｃにおける端子の第１の変形例の側面図である。
【図３ｂ】第１の支点から先端接触部の接続端まで測定された距離に対する第１の支点から第２の支点まで測定された距離の比が０．６である、図２ｃにおける端子の第２の変形例の側面図である。
【図３ｃ】第１の支点から先端接触部の接続端まで測定された距離に対する第１の支点から第２の支点まで測定された距離の比が０．７である、図２ｃにおける端子の第３の変形例の側面図である。
【図１】
0003136419.tif 000004
【図２ａ】
0003136419.tif 000005
【図２ｂ】
0003136419.tif 000006
【図２ｃ】
0003136419.tif 000007
【図２ｄ】
0003136419.tif 000008
【図２ｅ】
0003136419.tif 000009
【図３ａ】
0003136419.tif 000010
【図３ｂ】
0003136419.tif 000011
【図３ｃ】
0003136419.tif 000012